(57)【要約】【課題】プライスカード１０の表示形態に工夫を施すことにより、費用をかけて作成した商品陳列棚用プライスカードが無駄に廃棄されるといった不都合を可及的に減らす。【解決手段】商店の商品陳列棚に設けたカードホルダー２０の保持溝２６ａ，２６ｂに沿って挿入使用され、価格等の商品情報を表示する片面印刷されたプライスカード１０が開示されている。プライスカードは、カードホルダーに対する挿入方向に沿う幅中心線に沿って折曲すると、２つ折りの各部分が互いに形状一致して重なり合う形状を有し、２つ折りにした時の表裏両面が２種類の商品について使い分けられ、表裏両面の各々が２種類の商品のうちの一方の情報を表示するようになっている。プライスカード１０には、一対のバーコード１２、１４が印刷によって付されている。【選択図】図２
2007283036.tif 000002
【特許請求の範囲】
【請求項１】
商店の商品陳列棚に設けた装着部に着脱可能に装着して使用され、価格等の商品情報を表示する片面印刷されたシートから成るプライスカードにおいて、
前記カードホルダーに対する挿入方向に沿う幅中心線に沿って２つ折りに折曲すると、２つ折りの各部分が互いに形状一致して重なり合う形状を有し、
２つ折りに折曲した時の表裏両面が２種類の商品について使い分けられ、表裏両面の各々が２種類の商品のうちの一方の情報を表示するようになっているプライスカード。
【請求項２】
前記商品情報が機械読み取り用バーコードを含む請求項１に記載されたプライスカード。
【請求項３】
前記表裏両面に設けた一対の前記バーコードが、前記幅中心線の中間点を中心とする点対称位置にある請求項２に記載されたプライスカード。
【請求項４】
前記幅中心線に沿って２つ折りに折曲した状態で、２つ折りの各部分が互いに離れる方向の弾性復元力が働くことを特徴とする請求項１から請求項３までのいずれか１項に記載されたプライスカード。
【請求項５】
３面以上の表示面を個別に利用できるように、３つ折以上、ｎ折りにして使用することを特徴とする請求項１から請求項４までのいずれか１項に記載されたプライスカード。
【請求項６】
多数の表示面を個別に利用できるように片面印刷され、また、任意数の表示面を纏めて１単位として切り取り使用できる形態になされた請求項５に記載されたプライスカード。
【請求項７】
長尺シートをロール状に巻回して使用するようになされた請求項６に記載されたプライスカード。
【請求項８】
内部がシート素地のままの無数の微細「○印」を整列させて印刷し、任意の「○印」を任意の色で着色し、着色部の連なりで、文字、数字、記号等を表して、商品名および価格のうちの少なくとも一方を表示できるようにして成る請求項１から請求項７までのいずれか１項に記載されたプライスカード。
【発明の詳細な説明】
【技術分野】
【０００１】
本発明は、商店の商品陳列棚に設けたカードホルダーで保持され、価格等の商品情報を表示する片面印刷されたプライスカードに関するものである。
【背景技術】
【０００２】
商品陳列棚は、商品種別ごとに陳列スペースが定められており、例えば、商品陳列棚の前端縁に沿ってカードホルダーが付設され、前記陳列スペースごとに陳列商品の商品情報を表示するプライスカードがカードホルダーに装着、保持される。この商品情報は、例えば商品種別、商品価格等を示す機械読み取り用バーコードであり、陳列商品管理（すなわち、販売管理）に利用される。その一例が、「陳列棚用カードホルダー」と題する実開平７−２５８６７号公報（特許文献１）に記載されている。
【０００３】
プライスカードは商品種別ごとに用意され、所定陳列スペースに異なる商品を陳列する際には、プライスカードもそれに応じて取り替えられる。この場合、プライスカードの表裏に商品情報を印刷して、商品種別に応じて表裏面を使い分ければ、２種類の商品に１枚のプライスカードを用意すればよいため経済的であると考えられるであろうが、実際には、表裏両面に印刷を施した場合、裏面に位置する側の印刷模様、文字等がノイズになって機械によるバーコードの読み取りを首尾よく行なうことができない。したがって、表裏両面に印刷を施したプライスカードを用いることはできず、片面印刷されたプライスカードが用いられている。
【０００４】
なお、片面に印刷がなされたカードを２つ折りにして、２つ折り状態で表側および裏側の表示を利用するカードの例が、特開２００１−１２００７１号公報（特許文献２）および実用新案登録第３１０２７８７号公報（特許文献３）に示されている。
特許文献３に示されたカードは、園芸用表示片として使用され、２つ折り状態で、一方の側に、販売品である植物の図柄、販売価格および機械読み取り用バーコードが印刷され、他方の側に植物の栽培方法等の説明事項が印刷されている。このカードを、販売品である鉢植え植物に添え、一端部にて鉢内に収容された土に差し込み、２つ折り状態の両側から植物の販売価格、栽培方法等を確認できるようになっている。
【特許文献１】実開平７−２５８６７号公報
【特許文献２】特開２００１−１２００７１号公報
【特許文献３】実用新案登録第３１０２７８７号公報
【発明の開示】
【発明が解決しようとする課題】
【０００５】
大型販売店等では、商品陳列棚の定番スペースは売れ筋商品に割り当てられる例が多く、その定番商品の陳列棚に前記プライスカードが装着される。かかる定番スペースは、通常、売れ筋商品のみを陳列するためのものであるから、十分狭く、類似商品を並べる余裕がないことが多い。一方、商品製造者としては、予め全ての商品について印刷されたプライスカードを用意しており、定番商品の陳列棚に並べられた特定商品の販売状況次第で、類似商品の陳列が最早行われないといった事態もあり得る。この場合、類似商品用のプライスカードは、使用されないまま廃棄されるという結果になるだろう。
【課題を解決するための手段】
【０００６】
本発明の目的は、プライスカードの表示形態に工夫を施すことにより、費用をかけて作成した商品陳列棚用プライスカードが無駄に廃棄されるといった不都合を可能な限り減らすことである。
この目的は、以下のプライスカードを提供することによって達成される。
商店の商品陳列棚に設けた装着部に着脱可能に装着して使用され、価格等の商品情報を表示する片面印刷された片面印刷されたシートから成るプライスカードであり、
前記カードホルダーに対する挿入方向に沿う幅中心線に沿って２つ折りに折曲すると、２つ折りの各部分が互いに形状一致して重なり合う形状を有し、
２つ折りに折曲した時の表裏両面が２種類の商品について使い分けられ、表裏両面の各々が２種類の商品のうちの一方の情報を表示するようになっているプライスカード。
【０００７】
一実施形態としてのプライスカードでは、前記商品情報が機械読み取り用バーコードを含む。好適には、２つ折り状態の表裏両面に設けた一対の前記バーコードが、前記幅中心線の中間点を中心とする点対称位置に設けられる。
また、好適形態としてのプライスカードは、前記幅中心線に沿って２つ折りに折曲した状態で、２つ折りの各部分が互いに離れる方向の弾性復元力が働くように構成される。
【０００８】
次に、前記３形態の変形形態を示す。
（１）３面以上の表示面を個別に利用できるように、３つ折以上、ｎ折りにして使用するように形成した前記プライスカード。
（２）多数の表示面を個別に利用できるように片面印刷され、また、任意数の表示面を纏めて１単位として切り取り使用できる形態になされた前記プライスカード。
（３）長尺シートをロール状に巻回して使用するようになされた前記プライスカード。
（４）内部がシート素地のままの無数の微細「○印」を整列させて印刷し、任意の「○印」を任意の色で着色し、着色部の連なりで、文字、数字、記号等を表して、商品名および価格のうちの少なくとも一方を表示できるようにして成る前記プライスカード。
【発明の効果】
【０００９】
（１）片面印刷されたプライスカードが、カードホルダーに対する挿入方向に沿う幅中心線に沿って２つ折りに折曲すると、２つ折りの各部分が互いに形状一致して重なり合う形状を有し、２つ折りに折曲した時の表裏両面が２種類の商品について使い分けられ、表裏両面の各々が２種類の商品のうちの一方の情報を表示するようになっているため、片面印刷された一枚のプライスカードを、２種類の商品用として使い分けることができ、定番商品と類似する商品用に用意した印刷プライスカードを、販売計画の変更にとって廃棄するといった不都合または無駄を省くことができ、経済的である。また、使用上、２つ折り状態のままプライスカードを反転させて表裏両面のうちいずれかの面を使用できるようにカードホルダーに挿入すればよく、単純で使い易い。
【００１０】
（２）機械読み取り用バーコードを商品情報として用いた場合、商品陳列棚の定番スペースに陳列された商品の販売状態を確認して記録する際、光学式読取り機を利用して能率よく作業を行うことができ、便利である。
【００１１】
（３）２つ折り状態の表裏両面に設けた一対のバーコードを、前記幅中心線の中間点を中心とする点対称位置に設けた場合、陳列商品に応じて表裏いずれかの面を使い分けても、常に商品陳列棚の定位置にバーコードが位置するので、光学式読取り機を用いて商品販売状態を確認し記録する作業を円滑におこなうことができる。
【００１２】
（４）プライスカードの材質を選択する等により、前記幅中心線に沿って２つ折りにプライスカードを折曲した状態で、２つ折りの各部分が互いに離れる方向の弾性復元力が働くようにすれば、カードホルダーに挿入したプライスカードが挿入方向でスライドしてカードホルダーから離脱するといった不都合を未然に防ぐことができる。かかる弾性復元力を働かせるには、プライスカードの材質選択に限らず、例えば、２つ折りの折曲線に沿ってプライスカードの内側面に、エラストマーで形成された細い条材（例、線状材）を貼設しておくという手段を採用してもよい。
【実施例１】
【００１３】
以下、図面を見ながら、本発明の一実施例について説明する。
図１は、長方形の紙で形成されたプライスカード１０の一面を示す。プライスカード１０は、後記カードホルダー２０の第３保持溝２６ａ，２６ｂに沿って挿入される方向に長くなされている。この長手方向に対する幅方向中央位置に、２つ折り用の折曲指示線１６が示されている。この折曲指示線１６に沿って２つ折りにした状態のプライスカード１０が、図２に示されている。折曲指示線１６は対称線であり、プライスカード１０を図２に示すとおり２つ折りに畳むと、折曲指示線１６の両側の半体がぴったりと重なる。
【００１４】
図１に示すプライスカード１０の一面には、特定の陳列商品にそれぞれ対応する一対のバーコード１２、１４が印刷によって付されている。バーコード１２、１４は、折曲指示線１６の長さを２等分する仮想中心点に対して点対称位置にある。したがって、２つ折り状態のプライスカード１０の２面を使い分けるには、図２に示す姿勢のまま水平面内で回転させて図２の背面側に位置するプライスカード１０の他面を手前側に見せた時、バーコード１４が、バーコード１２と同姿勢で現れるように、両バーコード１２、１４が印刷されている。
【００１５】
図３、図４に、プライスカード１０を保持するカードホルダー２０を示す。図３は、カードホルダー２０の部分斜視図であり、図４は、カードホルダー２０の軸線に対する横断面図である。
プライスカードは、陳列棚の手前側端面に設けた装着部に着脱可能に装着されることが多いが、本実施例では、図示のカードホルダー２０を用いた場合について説明する。
カードホルダー２０は、例えば断面概ねＵ字形の樹脂製一体成形品として形成され、大きく３面から成っている。その第一面は第一保持溝２２ａ，２２ｂを有する面であり、第二面は第二保持溝２４ａ，２４ｂを有する面であり、第三面は第三保持溝２６ａ，２６ｂを有する面である。第一保持溝２２ａ，２２ｂは、図５に模式的に示す陳列棚３０の手前側端面にカードホルダー２０を装着するための支持用溝であり、陳列棚３０の手前側端面に突設された溝付突片３２とスライド式に嵌め合わせることができるようになっている。
【００１６】
第二保持溝２４ａ，２４ｂは、陳列商品名等を含めて、消費者に対して商品を説明するためのカードをスライド式に挿入した後に保持するための溝である。
第三保持溝２６ａ，２６ｂは、本発明の一実施例に係わるプライスカード１０をスライド式に挿入した後に保持するための溝である。すなわち、図２に示す２つ折り状態のプライスカード１０の上下半体をぴったりと重ね合わせて、バーコード１２が見えるように、カードホルダー２０の第三保持溝２６ａ，２６ｂに沿って挿入することにより、カードホルダー２０に対するプライスカード１０の装着が行われる。
【００１７】
プライスカード１０は、典型的には、カードホルダー２０の第三保持溝２６ａ，２６ｂに沿って挿入することのできる程度の剛性を有する紙製シートで作成できるが、カードホルダー２０から取り出した時に、図２に示されるように横断面Ｖ字形に開く程度の弾性復元力が得られる材質の樹脂シートで作成すると、カードホルダー２０に装着した状態で第三保持溝２６ａ，２６ｂと係合関係で優れた保持力が得られ、カードホルダー２０からプライスカード１０がスライドして離脱するような事態を未然に防ぐことができる。
【００１８】
なお、陳列棚３０の間口幅がある程度大きく、２種類の類似商品を並置できるような場合には、一方の商品を並べた側の陳列棚３０の手前側端面にバーコード１２が見えるように第一のプライスカード１０を装着し、他方の商品を並べた側の陳列棚３０の手前側端面にバーコード１４が見えるように第二のプライスカード１０を装着すればよい。このような例では、片面印刷された単一種類のプライスカード１０を用いて２種類の商品を識別でき、印刷経費の無駄を省くことができる。
【実施例２】
【００１９】
図６に、変形例としてのプライスカード１０Ａを示す。プライスカード１０Ａは、片面印刷された長方形シートを３つ折りにして折り畳み、３つの面を３種類の商品に対して使い分けるためのものである。その形態は、図１に示すプライスカード１０の下辺側に１面を延長付加したものに相当する。プライスカード１０Ａは、使用に当って、折曲指示線１６Ａ、１６Ｂに沿って折曲して折り畳み、３種類の商品をそれぞれ示すバーコード１２Ａ、１４Ａ、１４Ｂが付されたいずれかの面を使用面として、カードホルダー２０（または、陳列棚の手前側端面）に装着する。この例によれば、片面印刷された１枚のシートを３種類の商品に対して使い分けることができ、経費節減効果が大きい。
【実施例３】
【００２０】
図７に、別の変形例としてのプライスカード１０Ｂを示す。プライスカード１０Ｂは、片面印刷された長尺シートであり、プライスカード１０、プライスカード１０Ａと同様な表示面（それぞれ、バーコード１２Ａ、１２Ｂ……、１４Ａ、１４Ｂ、１４Ｃ…… が付されている）を多数連接した形状状態として形成されている。この例では、折曲指示線に沿ってミシン目を付与して截断を容易にすると使いかってがよく、任意数の表示面をまとめて１単位として本体から切り取り、折曲指示線に沿う２つ折り、または、３つ折りにして、あるいはまた、それ以上の折曲数で折って、２面、３面またはそれ以上の面を使い分ける形態で使用できる。この場合、１面のみを切り取って使用することもできる。前記実施例１、実施例２のいずれの場合も、１面のみを切り取って使用できることはいうまでもない。
なお、プライスカード１０Ｂは、多連式シートとして、ロール状に巻回して、必要面を適宜引き出して切り取り使用する形態にすれば便利である。
【実施例４】
【００２１】
変形例としてのプライスカード１０Ｃを示す。これは、２面式であるが、バーコード１２、１４の領域を除く残りの領域（素地部分）に無数の微細「○印」を整列させて印刷している。この「○印」の内部は素地のままであり、任意の「○印」を任意の色で着色し、着色部の連なりで、文字、数字、記号等を表して、商品名および価格のうちの少なくとも一方を表示できるようにした。このようにすれば、プライスカードの使用機能が向上し、商品宣伝効果の向上に寄与できる。この無数の微細「○印」を付す形態は、前記各実施例にも適用できる。
【図面の簡単な説明】
【００２２】
【図１】長方形の紙で形成された第一実施例に係わるプライスカードの一面を示す。
【図２】折曲指示線に沿って２つ折りにしたプライスカードの斜視図。
【図３】プライスカードを保持するカードホルダーの部分斜視図。
【図４】カードホルダーの軸線に対する横断面図。
【図５】カードホルダーが装着される陳列棚の模式的斜視図。
【図６】第二実施例に係わるプライスカードの一面を示す。
【図７】第三実施例に係わるプライスカードの一面を示す。
【図８】第四実施例に係わるプライスカードの一面を示す。
【符号の説明】
【００２３】
１０  プライスカード
１２  バーコード
１４  バーコード
１６  折曲指示線
２０  カードホルダー
２２ａ，２２ｂ  第一保持溝
２４ａ，２４ｂ  第二保持溝
２６ａ，２６ｂ  第三保持溝
【図１】
2007283036.tif 000003
【図２】
2007283036.tif 000004
【図３】
2007283036.tif 000005
【図４】
2007283036.tif 000006
【図５】
2007283036.tif 000007
【図６】
2007283036.tif 000008
【図７】
2007283036.tif 000009
【図８】
2007283036.tif 000010